(57)【要約】【課題】  水受けの清掃や点検または交換作業を簡単に行うことができる空調用室内機を実現する。【解決手段】  室内機１２は、筐体３２と、筐体３２の下面に装着される化粧パネル３４に着脱可能に配設された吸い込みグリル３６と、吹き出し口３８と、ファン２８と、熱交換器２６と、吸い込みグリル３６を筐体３２に対して昇降する昇降手段とを備え、昇降手段は、化粧パネル３４に設けられた回転ドラム４８と、回転ドラム４８を正逆回転する駆動モータと、回転ドラム４８に一端が巻着されたワイヤ５０と、吸い込みグリル３６を設けられたガイドローラ５２、５４と、化粧パネル３４に設けられた固定部５６などから構成されており、熱交換器２６の下縁部に対向して設けられる水受け４０が、吸い込みグリル３６の上に搭載することにより、吸い込みグリル３６と共に水受け４０を昇降手段で昇降する。【選択図】  図２
2006071193.tif 000002
【特許請求の範囲】
【請求項１】
筐体と、該筐体の下面に装着された化粧パネルと、該化粧パネルに形成される吸込み口に着脱可能に配設された吸い込みグリルと、前記化粧パネルの周縁部に形成された吹き出し口と、前記吸い込みグリルから室内空気を吸い込んで前記筐体の周壁に向けて吹き出すファンと、該ファンから吹き出される空気の下流側に配設された熱交換器と、前記吸い込みグリルを前記筐体に対して昇降する昇降手段とを備え、
前記熱交換器の下縁部に対向して設けられる水受けが、前記吸い込みグリルの上に搭載されてなることを特徴とする空調用室内機。
【請求項２】
筐体と、該筐体の下面に装着された化粧パネルと、該化粧パネルに形成される吸込み口に着脱可能に配設された吸い込みグリルと、前記化粧パネルの周縁部に形成された吹き出し口と、前記吸い込みグリルから室内空気を吸い込んで前記筐体の周壁に向けて吹き出すファンと、該ファンから吹き出される空気の下流側に配設された熱交換器と、該熱交換器の下縁部に対向して設けられた水受けとを備え、
前記吸い込みグリルは、前記ファンにより吸い込まれる室内空気が通気するグリル部と、前記水受けの底面幅よりも大きい周縁部を有してなることを特徴とする空調用室内機。
【請求項３】
筐体と、該筐体の下面に着脱可能に装着された化粧パネルと、該化粧パネルに形成される吸込み口に配設された吸い込みグリルと、前記化粧パネルの周縁部に形成された吹き出し口と、前記吸い込みグリルから室内空気を吸い込んで前記筐体の周壁に向けて吹き出すファンと、該ファンから吹き出される空気の下流側に配設された熱交換器と、前記化粧パネルを前記筐体に対して昇降する昇降手段とを備え、
前記熱交換器の下縁部に対向して設けられる水受けが、前記化粧パネルの上に搭載されてなることを特徴とする空調用室内機。
【発明の詳細な説明】
【技術分野】
【０００１】
本発明は、天井埋め込み型または天井吊り下げ型の空調用室内機に関する。
【背景技術】
【０００２】
空気調和装置は、室内の空気を冷やしたり、温めたりするものであり、冷媒を圧縮機により圧縮し、圧縮された冷媒を凝縮又は蒸発させる室外機と、凝縮又は蒸発された冷媒により室内空気を冷暖する室内機を備えている。
【０００３】
空気調和装置の室内機は、例えばオフィスや工場の天井に埋め込まれたり吊り下げられる筐体と、筐体の下面に装着された化粧パネルと、化粧パネルに形成される吸い込み口に着脱可能に配設された吸い込みグリルと、吸い込みグリルから室内空気を吸い込んで筐体の周壁に向けて吹き出すファンと、ファンから吹き出される空気の下流側に配設された熱交換器と、熱交換器の下縁部に対向して設けられる水受けなどから構成される。
【０００４】
このような室内機では、吸い込みグリルを筐体に対して昇降する昇降手段を設けることにより、吸い込みグリル及びフィルタの清掃や点検または交換作業を簡単に行えるようにしている（特許文献１参照）。
【０００５】
【特許文献１】特開平１１−２３００１号公報
【発明の開示】
【発明が解決しようとする課題】
【０００６】
ところで、室内機においては、吸い込みグリルを介して吸い込んだ室内空気が熱交換器を通気する際、通気する室内空気に含まれる塵埃が熱交換器の表面に付着することがある。付着した塵埃は、主として冷房運転時に熱交換器の表面に発生するドレン水に伴って水受け内に溜まる。溜まった塵埃が水受け内に蓄積されると、その塵埃によりドレン水の排水流路が阻害されることがある。このため、水受けについても定期的に清掃や点検または交換作業を行う必要があるが、特許文献１では配慮されていない。
【０００７】
本発明の課題は、水受けの清掃や点検または交換作業を簡単に行うことができる空調用室内機を実現することにある。
【課題を解決するための手段】
【０００８】
上記課題を解決するため、本発明の空調用室内機は、筐体と、筐体の下面に装着された化粧パネルと、化粧パネルに形成される吸込み口に着脱可能に配設された吸い込みグリルと、化粧パネルの周縁部に形成された吹き出し口と、吸い込みグリルから室内空気を吸い込んで筐体の周壁に向けて吹き出すファンと、ファンから吹き出される空気の下流側に配設された熱交換器と、吸い込みグリルを筐体に対して昇降する昇降手段とを備え、熱交換器の下縁部に対向して設けられる水受けが、吸い込みグリルの上に搭載されてなることを特徴とする。
【０００９】
このようにすれば、水受けが吸い込みグリルに固定されることになるから、昇降手段によって吸い込みグリルを昇降することにより、水受けを昇降させることができる。したがって、必要に応じて作業者が点検しやすい位置に水受けを降下させることにより、水受けの清掃や点検又は交換作業を簡単に行うことができる。
【００１０】
このように構成した結果、吸い込みグリルは、ファンにより吸い込まれる室内空気が通気するグリル部と、水受けの底面幅よりも大きい周縁部を有して形成される。
【００１１】
また、本発明の空調用室内機は、筐体と、筐体の下面に着脱可能に装着された化粧パネルと、化粧パネルに形成される吸込み口に配設された吸い込みグリルと、化粧パネルの周縁部に形成された吹き出し口と、吸い込みグリルから室内空気を吸い込んで筐体の周壁に向けて吹き出すファンと、ファンから吹き出される空気の下流側に配設された熱交換器と、化粧パネルを筐体に対して昇降する昇降手段とを備え、熱交換器の下縁部に対向して設けられる水受けを化粧パネルの上に搭載して構成することができる。
【００１２】
これにより、水受けが化粧パネルに固定されることになるから、昇降手段によって化粧パネルを昇降することにより、水受けを昇降させることができる。したがって、必要に応じて作業者が点検しやすい位置に水受けを降下させることにより、水受けの清掃や点検または交換作業を簡単に行うことができる。
【発明の効果】
【００１３】
本発明によれば、水受けの清掃や点検または交換作業を簡単に行うことができる空調用室内機を実現することができる。
【発明を実施するための最良の形態】
【００１４】
（実施形態１）
本発明を適用した空気調和装置の第１の実施形態について図１及び図２を参照して説明する。図１は、本実施形態における空気調和装置の系統図である。図１に示すように、空気調和装置は、オフィスビルの屋上などに配設される室外機１０と、オフィスの天井に配設される室内機１２などから構成される。
【００１５】
室外機１０は、冷媒を圧縮する圧縮機１４と、冷媒運転時には凝縮器として作用してガス冷媒の熱を大気に放熱させて冷媒を凝縮し、暖房運転時には蒸発器として作用して液冷媒の蒸発熱を大気に放熱する熱交換器１６と、熱交換器１６に外気を通気させるファン１８と、主に暖房運転時に減圧手段として作用する絞り機構２０を備えている。なお、冷媒の流れを必要に応じて変えて冷房運転モードと暖房運転モードを切替える四方切替弁２２が設けられている。
【００１６】
室内機１２は、主に冷房運転時に減圧手段として作用する絞り機構２４と、冷房運転時には蒸発器として作用して液冷媒の蒸発熱を大気に放熱し、暖房運転時に凝縮器として作用してガス冷媒の熱を大気に放熱させて冷媒を凝縮する熱交換器２６と、熱交換器２６に室内空気を通気させる送風機としてのファン２８を備えている。
【００１７】
図２は、本発明に係る室内機１２の内部構成図である。図２Ａは、運転中の室内機１２を示し、図２Ｂは、水受け４０の清掃作業をする際の室内機１２を示している。図２に示すように、室内機１２は、天井３０に埋め込まれて配設される筐体３２と、筐体３２の下面に装着された化粧パネル３４と、化粧パネル３４に形成される吸込み口に着脱可能に配設された吸い込みグリル３６と、化粧パネル３４の周縁部に形成された吹き出し口３８を備えている。また、吸い込みグリル３６から室内空気を吸い込んで筐体３２の周壁に向けて吹き出すファン２８と、ファン２８から吹き出される空気の下流側に配設された熱交換器２６と、吸い込みグリル３６を筐体３２に対して昇降する昇降手段などが設けられている。そして、熱交換器２６の下縁部に対向して水受け４０が設けられ、水受け４０が吸い込みグリル３６の上に搭載されている。
【００１８】
吸い込みグリル３６は、ファン２８により吸い込まれる室内空気が通気するグリル部３６ａと、水受け４０の底面幅よりも大きい周縁部３６ｂを有して形成されている。グリル部３６ａの上面側にフィルタ４２が着脱可能に収納されている。収納されたフィルタ４２の空気の下流側にベルマウス４４が配設されている。ベルマウス４４は、空気の吸い込み側が裾広がりに形成された円筒状の風洞である。ベルマウス４４の空気の吸込み側の開口は、フィルタ４２の吹き出し側の面に臨んでおり、空気の吹き出し側の開口は、ファン２８の空気の吸い込み口にギャップ（隙間）を介して包囲されている。
【００１９】
ファン２８は、筐体３２の天井に固定されたモータ４６の回転軸に支持され、空気の吹き出し口が筐体３２の周壁に向けて開口して形成された遠心ファンである。ファン２８の吹き出し口と筐体３２の周壁との間に熱交換器２６が配設されている。熱交換器２６は、ファン２８の周囲を包囲するように屈曲して形成されている。熱交換器２６と筐体３２の周壁との間に形成される空間は、吹き出し空気の通流路として吹き出し口３８に連通している。
【００２０】
昇降手段は、図２Ｂに示すように、化粧パネル３４の水受け４０よりも外周側の部分に正逆回転可能に設けられた回転ドラム４８と、回転ドラム４８に一端が巻着されたワイヤ５０と、吸い込みグリル３６の周縁部３６ｂの水受け４０よりも外周側の部分にそれぞれ設けられたガイドローラ５２、５４と、化粧パネル３４の水受け４０よりも外周側の部分に設けられた固定部５６などから構成されている。
【００２１】
固定部５６は、回転ドラム４８との間にファン２８や熱交換器２６を挟んだ対向位置に設けられている。ガイドローラ５２は、回転ドラム４８に対し垂直方向に対向する位置に設けられている。ガイドローラ５４は、ガイドローラ５２との間に水受け４０やフィルタ４２を挟んだ対向位置、かつ固定部５６に対し垂直方向に対向する位置に設けられている。なお、図示の便宜上、２つのガイドローラ５２、５４を配設した例を説明したが、吸い込みグリル３６の四隅にそれぞれガイドローラを配設し、配設した４つのガイドローラを２組に分け、組ごとにそれぞれ回転ドラム４８や固定部５６及びワイヤ５０を設けるのが望ましい。
【００２２】
このように構成される空気調和装置の動作について室内機１２を中心に説明する。空気調和装置の運転が開始されると、図２Ａに示すように、ファン２８がモータ４６により回転することにより、室内空気が吸い込みグリル３６から筐体３２内に吸い込まれる。吸い込まれた室内空気は、フィルタ４２を介してベルマウス４４により整流された後、ファン２８から吹き出される。吹き出された室内空気は、熱交換器２６内の冷媒により冷やされたり又は暖められたりした後、吹き出し口３８から室内に戻される。
【００２３】
このように運転される室内機１２では、吸い込みグリル３６を介して吸い込んだ室内空気が熱交換器２６を通気する際、通気する室内空気に含まれる塵埃が熱交換器の表面に付着することがある。付着した塵埃は、主として冷房運転時に熱交換器２６の表面に発生するドレン水に伴って水受け４０内に溜まる。塵埃を含んだドレン水のほとんどはポンプにより機外に排出されるが、排出されなかったドレン水の塵埃は水受け４０内で堆積あるいは固着する。その結果、その塵埃により水受け４０の排水流路が阻害されることがある。
【００２４】
このような水受け４０を清掃するときは、図２Ｂに示すように、空気調和装置の運転を停止した後、回転ドラム４８を駆動モータにより回転させることにより、回転ドラム４８からワイヤ５０が繰り出される。繰り出されたワイヤ５０は、ガイドローラ５２、５４を介してガイドされる。これによって、回転ドラム４８から繰り出されたワイヤ５０の長さに応じて、吸い込みグリル３６と共に水受け４０が降下する。そして、降下した水受け４０に対し清掃や点検又は交換作業が施される。
【００２５】
水受け４０の清掃作業が終了したときは、回転ドラム４８を駆動モータにより逆回転させることにより、ワイヤ５０がガイドローラ５２、５４を介して回転ドラム４８に巻き取られる。これによって、吸い込みグリル３６と共に水受け４０が筐体３２に収納される（図２Ａ）。
【００２６】
本実施形態によれば、水受け４０が吸い込みグリル３６に固定されることになるから、昇降手段によって吸い込みグリル３６を昇降することにより、水受け４０を昇降させることができる。したがって、必要に応じて作業者が点検しやすい位置に水受け４０を降下させることにより、水受け４０の清掃や点検又は交換作業を簡単に行うことができる。
【００２７】
例えば、塵埃が比較的多く含まれる工場などに室内機１２が配設されると、室内機１２の水受け４０に蓄積する塵埃が増大する。しかし、工場などの天井は比較的高いのが一般的であるため、水受け４０を清掃するのが困難である。この点、本実施形態によれば、水受け４０を降下させることができるため、工場などの天井が高い場所に室内機１２が配設された場合でも、水受け４０の清掃や点検又は交換作業を簡単に行うことができる。
【００２８】
要するに、水受け４０の外形寸法を吸い込みグリル３６の外形寸法よりも小さく形成し、吸い込みグリル３６及びフィルタ４２と同時に水受け４０を昇降する昇降手段を設けることにより、水受け４０の清掃や点検又は交換作業を簡単に行うようにしている。
【００２９】
また、吸い込みグリル３６及び水受け４０が昇降する過程では、吸い込みグリル３６及び水受け４０の自重により、ワイヤ５０がガイドローラ５２、５４を介してガイドされる。したがって、吸い込みグリル３６の底面が床面に対して平行になるようにバランスを保ちながら、吸い込みグリル３６及び水受け４０を昇降することができる。
【００３０】
さらに、水受け４０がベルマウス４４の周壁に固定されているときは、図３に示すように、水受け４０と共にベルマウス４４を吸い込みグリル３６の上に搭載することができる。このようにすれば、吸い込みグリル３６を昇降することにより、水受け４０をベルマウス４４と共に昇降させることができる。
【００３１】
また、水受け４０と吸い込みグリル３６を別の部材として説明したが、吸い込みグリル３６の周縁部３６ｂに水受け４０が一体となるように形成することにより、吸い込みグリル３６を一層安定に昇降させることができる。
【００３２】
（実施形態２）
本発明を適用した空気調和装置の第２の実施形態について図４を参照して説明する。本実施形態が第１の実施形態と異なる点は、吸い込みグリル３６と共に水受け４０を昇降することに代えて、化粧パネル３４と共に水受け４０を昇降することにある。したがって、第１の実施形態と同一の部分については説明を省略し、相違点を中心に説明する。なお、相互に対応する箇所については同一の符号を付して説明する。
【００３３】
本実施形態では、化粧パネル３４が筐体３２の下面に着脱可能に装着されている。そして、図４に示すように、回転ドラム４８は、水受け４０よりも外周側に位置して筐体３２の内壁に支持されている。ガイドローラ５２、５４は、化粧パネル３４の水受け４０よりも外周側の部分に設けられている。固定部５６は、水受け４０よりも外周側に位置して筐体３２に支持されている。このような室内機１２の水受け４０は、化粧パネル３４の上に搭載されている。
【００３４】
ここで、回転ドラム４８を駆動モータにより回転させることにより、回転ドラム４８からワイヤ５０が繰り出される。繰り出されたワイヤ５０の長さに応じて、吸い込みグリル３６と共に化粧パネル３４が降下する。降下した水受け４０に対して清掃や点検または交換作業が施される。
【００３５】
本実施形態によれば、水受け４０が化粧パネル３４に固定されることになるから、化粧パネル３４を昇降することにより、水受け４０を昇降させることができる。したがって、必要に応じて作業者が点検しやすい位置に水受け４０を降下させることにより、水受け４０の清掃や点検または交換作業を簡単に行うことができる。
【００３６】
例えば、吸い込みグリル３６の周縁部３６ｂが比較的小さく形成されていると、吸い込みグリル３６に水受け４０を搭載するのが困難となる。そこで、水受け４０を化粧パネル３４に搭載し、化粧パネル３４を昇降することにより、水受け４０の清掃や点検または交換作業を簡単に行うことができる。
【００３７】
また、回転ドラム４８及び固定部５６を筐体３２内に設けることに代えて、図５に示すように、回転ドラム４８を筐体３２の周壁の外表面に設け、その周壁に対向する周壁の外表面に固定部５６を設けてもよい。その場合、回転ドラム４８と固定部５６に対応させてガイドローラ５２、５４を化粧パネル３４の周縁部に設ける。
【００３８】
以上、第１及び第２の実施形態に基づいて本発明を説明したが、これに限られるものではない。例えば、図６に示すように、水受け４０により囲まれる部分の幅Ａが、フィルタ４２の幅Ｂよりも大きくなるように形成するのが好ましい。要は、水受け４０の内形寸法をフィルタ４２の外形寸法よりも大きくすればよい。これにより、吸い込みグリル３６と共に水受け４０を降下させたとき、水受け４０を取り外さずにフィルタ４２を取り外すことが容易になる。
【００３９】
また、天井埋込型の室内機１２に本発明を適用した例を説明したが、天井吊り下げ型の室内機にも適用することができる。また、吸い込みグリル３６及び水受け４０の昇降については、作業者がリモコンにより駆動指令を駆動モータに出力するようになっている。
【図面の簡単な説明】
【００４０】
【図１】本発明を適用した空気調和装置の系統図である。
【図２】本発明の第１の実施形態の室内機の構成図である。
【図３】本発明の第１の実施形態の室内機の他の構成図である。
【図４】本発明の第２の実施形態の室内機の構成図である。
【図５】本発明の第２の実施形態の室内機の他の構成図である。
【図６】水受けとフィルタの寸法関係を示す図である。
【符号の説明】
【００４１】
１０  室外機
１２  室内機
２６  熱交換器
２８  ファン
３２  筐体
３４  化粧パネル
３６  吸い込みグリル
３８  吹き出し口
４０  水受け
４８  回転ドラム
５０  ワイヤ
５２、５４  ガイドローラ
５６  固定部
【図１】
2006071193.tif 000003
【図２】
2006071193.tif 000004
【図３】
2006071193.tif 000005
【図４】
2006071193.tif 000006
【図５】
2006071193.tif 000007
【図６】
2006071193.tif 000008